(57)【要約】  本発明の実施形態は、車両で使用されるためのエアバッグドアアセンブリを提供する。このドアアセンブリは、エアバッグが展開する際のエアバッグからの圧力下で変形する移動式のドアパネルを含む。このエアバッグドアアセンブリを利用するエアバッグシステムは、車両に搭載された構造体の内部の空洞に取り付けられてよく、又は、独立して車両の構造体に組み付けられてよい。
2017508655.tif 000002
【特許請求の範囲】
【請求項１】
エアバッグシステムであって、
１つ又はそれより多くのフランジ部を有する外周部を備えるバックプレートフレームと、
前記バックプレートフレームに対して位置付けられた、折り畳まれたエアバッグと、
前記１つ又はそれより多くのフランジ部を介して前記バックプレートフレームに対して固定されるとともに、前記エアバッグが展開される際には可撓的に変形可能なドアパネルと、
前記エアバッグが展開される際に、前記ドアパネルが発射体となることを防止するための固定システムとを備えるエアバッグシステム。
【請求項２】
前記固定システムは、前記バックプレートフレーム及び前記ドアパネルと協働するとともに、エアバッグ展開の際には前記ドアパネルを前記バックプレートフレームに対して維持する少なくとも１つの固定部材を備える、請求項１に記載のエアバッグシステム。
【請求項３】
前記固定部材は、ストラップ、テザー、バックル、ヒンジ、バネ、弾性継ぎ手、又はそれらの組み合わせを備える、請求項１又は２に記載のエアバッグシステム。
【請求項４】
前記バックプレートフレームはエアバッグ支持空間を備える、請求項１〜３の何れか一項に記載のエアバッグシステム。
【請求項５】
航空機の構造物又は航空機のプライバシースクリーンにおける空洞内に取り付けられるように構成されている、請求項１〜４の何れか一項に記載のエアバッグシステム。
【請求項６】
航空機の表面に直接取り付けられるように構成された独立システムである、請求項１〜５の何れか一項に記載のエアバッグシステム。
【請求項７】
前記バックプレートフレームは、車両の構造体に対する前記バックプレートフレームの取り付けを行うための１つ又はそれよりも多くの固定開口部を備える、請求項１〜６の何れか一項に記載のエアバッグシステム。
【請求項８】
さらに、衝突センサ、エアバッグ制御装置、及びインフレータを備え、
前記衝突センサは衝突状態を検知するとともに、前記エアバッグ制御装置に情報を中継し、それによって前記インフレータが前記エアバッグの展開を開始する、請求項１〜７の何れか一項に記載のエアバッグシステム。
【請求項９】
前記１つ又はそれより多くのフランジ部を有する外周部を備えるバックプレートフレームは、さらに、後部パネル及び外枠を備え、
前記後部パネル及び前記外枠は前記折り畳まれたエアバッグのための収容領域を創出する、請求項１〜８の何れか一項に記載のエアバッグシステム。
【請求項１０】
前記１つ又はそれより多くのフランジ部は前記後部パネルに位置付けられており、
前記ドアパネルの縁部が前記１つ又はそれより多くのフランジ部と前記外枠との間に挟持されている、請求項９に記載のエアバッグシステム。
【請求項１１】
前記１つ又はそれより多くのフランジ部は前記外枠に位置付けられており、
前記ドアパネルの縁部が前記外枠の内にあり、
前記外枠と前記ドアパネルとが、前記後部パネルに固定されている、請求項９に記載のエアバッグシステム。
【請求項１２】
さらに、締め付け板を備える、請求項１に記載のエアバッグシステム。
【請求項１３】
前記ドアパネルは、前記固定システムの固定部材を受け入れるための、１つ又はそれより多くの開口部を備える、請求項１〜１２の何れか一項に記載のエアバッグシステム。
【請求項１４】
前記ドアパネルは複数の構成部品からなるドアを備える、請求項１〜１３のいずれか一項に記載のエアバッグシステム。
【請求項１５】
エアバッグシステムドアパネルであって、ドアパネルを備え、該ドアパネルは可撓性を有し且つ変形可能な材料で製造されており、前記材料は、圧力が前記ドアパネルに印加される場合に、前記ドアパネルを外側に変形させるとともに、１つ又はそれより多くのフランジ状のドア固定機構から前記ドアパネルを離脱させることが可能な一方で、前記材料は乗客によってみだりに変更を加えられることを防止するのに十分な構造剛性を有する、エアバッグシステムドアパネル。
【請求項１６】
前記エアバッグシステムドアパネルはエアバッグシステムと共に使用され、
前記エアバッグシステムは後部パネルと外枠とを備えており、
前記後部パネルは１つ又はそれより多くのフランジ部を備え、
前記ドアパネルは前記１つ又はそれより多くのフランジ部と前記外枠との間に固定される、請求項１５に記載のエアバッグシステムドアパネル。
【請求項１７】
前記ドアパネルは、エアバッグ展開の際に前記ドアパネルが発射体になることを防止するために、固定システムを介してフレームに固定される、請求項１５又は１６に記載のエアバッグシステムドアパネル。
【請求項１８】
エアバッグを展開するための方法であって、
可撓性を有するドアパネル、エアバッグ、衝突センサ、エアバッグ制御装置及びインフレータを備えるエアバッグシステムであって、前記可撓性を有するドアパネルがその縁部を介してフレームに固定されており、前記縁部がフレームの１つ又はそれよりも多いフランジ部に嵌め込まれているエアバッグシステムを提供することと、
前記衝突センサを介して衝突事象を検知することと、
前記エアバッグ制御装置に信号を送って前記インフレータを作動させることと、
前記インフレータから膨張ガスを前記エアバッグに送ることと、
前記可撓性を有するドアパネルを強制的に前記１つ又はそれより多くのフランジ部から解放して、前記エアバッグが展開出来るようにすることとを含む、エアバッグを展開するための方法。
【発明の詳細な説明】
【技術分野】
【０００１】
関連出願の参照：本願は、２０１４年２月４日に出願された『エアバッグドアアセンブリ』と題する米国特許仮出願第６１／９３５，４３９号及び２０１４年１１月１７日に出願された『エアバッグドアアセンブリ』と題する米国特許本出願第１４／５４２，８８７号に関し、それらの優先権の利益を主張するとともに、上記米国特許仮出願及び米国特許本出願各々の開示のすべてをここに援用して本文の記載の一部とする。
【０００２】
本開示の実施形態は一般的に、車両において使用されるためのエアバッグドアアセンブリ（組立体）に関する。このドアアセンブリはエアバッグが展開する際の圧力下で変形する移動式ドアパネルを含む。
【背景技術】
【０００３】
エアバッグは乗員拘束装置であり、典型的には、可撓性を有する状袋又は「バッグ」を含む。この可撓性を有する状袋又はバッグは、衝突の際に車両の乗員が彼又は彼女の正面（又は、いくつかの場合において、側方、もしくは前方及び側方）に位置する車両の内部物体にぶつかることを防止するために急速に膨らむように設計されている。自動車において、エアバッグは乗員がハンドル、車両のドア、窓、又はその他の任意の内部物体とぶつかることを防止するように設計されている。航空機においては、エアバッグは乗客（旅客）が各乗客の前方の座席、トレイテーブル、窓、プライバシースクリーン、モニュメント（構造物）、又はその他の任意の内部物体とぶつかることを防止するように設計されている。旅客鉄道車両（例えば、列車、モノレール、路面電車等）、道路車両（例えば、レジャー用自動車、オートバイ、自動車等）、船舶、宇宙船、及びその他のいかなる旅客輸送機関におけるエアバッグも同様に作動することが出来る。
【０００４】
近代的な車両の多くは複数のエアバッグを含んでいる。例えば、自動車の多くは（少なくとも前方座席においては）各乗員の着座位置の前方（正面）に、頭部及び胴体を守るためにエアバッグを備えている。これらの車両はまた、膝用のエアバッグを備えてもよく、これらの膝用エアバッグは乗員の膝及び脚部を守る。航空機の多くは、（エアバッグが展開して出ていく座席又はその他の構造物の後ろに座っている乗客のために展開するように）各座席の後部、又はシートベルト内に位置付けられたエアバッグを提供する。（例えば、前方座席又は航空機の隔壁（バルクヘッド）に座っている乗客は彼らの前方には座席が無いため、この場合には、エアバッグは乗客のシートベルト内に位置付けられてよい。）乗客車両はまた、側方箇所（側部）にエアバックを備えてよく、これらのエアバッグは乗員と、車両のドア又は車両の窓もしくは壁面との間で膨張し得る。
【０００５】
典型的に、センサが衝突領域において１つ又はそれより多くのエアバッグを、衝突の種類及び激しさに基づいた可変の速度で展開させる。エアバッグの多くは、中程度から激しい正面衝突のみにおいて膨張するように設計されている。エアバッグは通常、シートベルトで正しく拘束されている乗員の保護を補足する意図で設計されている。エアバッグが発明され導入されて以来、エアバッグの改良が重ねられてきた。
【０００６】
航空機において、エアバッグの開放及び展開は、材料における引裂線（テアライン）によって又はヒューズ固定クリップを用いることによって管理されてよい。これらのシステムのためには、材料又はヒューズエレメントの引裂力が正しく調整されるべきであるが、それには試験工程が必要とされる。しかしながら、エアバッグのさらなる改良が所望されており、そのような改良には、旅客車両における様々なタイプの座席配置用の展開システムのための様々な設計を有するエアバッグも含まれる。
【発明の概要】
【０００７】
本文に記載される実施形態は、それゆえに、エアバッグシステム用のエアバッグシステムドアパネルであって、該ドアパネルは、可撓性を有し且つ変形可能な材料で製造されており、該材料は圧力が前記ドアパネルに印加される場合に、前記ドアパネルを外側に変形させるとともに、１つ又はそれより多くのフランジ状のドア固定機構から前記ドアパネルを離脱させることが可能である一方で、前記材料は乗客によってみだりに変更を加えられることを防止するのに十分な構造剛性を有する、エアバッグシステム用のドアパネルをもたらす。
【０００８】
実施形態はまた、エアバッグシステムであって、
１つ又はそれより多くのフランジ部を有する外周部を備えるバックプレートフレームと、
前記バックプレートフレームに対して位置付けられた、折り畳まれたエアバッグと、
前記１つ又はそれより多くのフランジ部を介して前記バックプレートフレームに対して固定されるとともに、前記エアバッグが展開される際には可撓的に変形可能なドアパネルと、
前記エアバッグが展開される際に、前記ドアパネルが発射体となることを防止するための固定システムとを備えるエアバッグシステムをもたらす。
【図面の簡単な説明】
【０００９】
【図１】図１は、バックフレームから解放されるドアパネルを備えるエアバッグシステムの一実施形態の上面断面図である。
【図２】図２は、エアバッグシステムの斜視分解図である。
【図３】図３は、エアバッグシステムの斜視分解図である。
【図４】図４は、ドアパネルを固定するための代替的な実施形態の断面図である。
【図５−９】図５‐図９は、エアバッグの展開及びドアパネルの開放を示す一連の画像である。
【図１０】図１０は、エアバックシステムを受け入れるための空洞を有するモニュメント構造体の実施形態を示す図である。
【図１１】図１１は、衝突センサ、エアバッグ制御装置、及び膨張装置（インフレータ）を備えるエアバッグシステムを示す図である。
【発明を実施するための形態】
【００１０】
本開示の実施形態は、エアバッグが展開する際にエアバッグを解放するために、ドアを開放可能とするエアバッグドアアセンブリを提供する。ドアパネルはバックフレームに対して接触した状態で維持されるとともに、エアバックはドアパネルとバックフレームとの間に位置付けられる。この、ドアパネルのバックフレームに対する接触は、直接的な接触、及び（バックフレームの形成を支援する他の構成部品を介した）間接的な接触のいずれであってもよい。エアバッグが膨張されるとき、ドアはフレームから離れて延伸して、エアバッグが展開出来るようにする。ドアパネルは、ドアパネルがバックフレームから解放されるように、エアバッグからの圧力下でドアパネルを少なくとも微小に変形可能とするのに十分な可撓性を有する材料によって形成されている。ドアパネルの可撓性と、エアバッグクッションからの圧力下でのドアパネルの変形とを利用することによって、これまでのエアバッグ展開システムを超える利点が得られるであろう。
【００１１】
図１はエアバッグシステム１０の一実施形態の上面断面図である。このシステム１０は、バックプレートフレーム１２を含む。バックプレートフレーム１２は、任意の表面に固定されるために設計された後部パネル１４を含むことが出来る。１つの例において、後部パネル１４は、後部パネル１４の（そしてそれゆえにバックプレートフレーム１２の）車両構造体への取り付けをもたらすための、１つ又はそれより多くの固定用開口部１６を有し得る。図２及び図３に、後部パネル１４における固定用開口部１６の様々な大きさと位置の例が示されているが、任意の好適な随意の大きさ及び位置が用いられ得ることが理解されるべきである。全体的な目標は、エアバッグが展開のためにそこから出ていく構造体に対して、後部パネル１４を固定することである。図面では正方形のバックプレートフレーム１２及び後部パネル１４が示されているが、任意の形状又は構成が用いられ得ることが理解されるべきである。例えば、バックプレートフレーム１２及び後部パネル１４は円形、楕円形、長方形、三角形、又はその他のいかなる形状であってもよい。ドアパネルは一般的に、バックフレームの形状と類似の形状を有するであろう。
【００１２】
図１及び図２を参照すると、外枠１８が備えられてよい。外枠１８は、後部パネル１４に対応して後部パネル１４と類似の形状に形成されるが開口した内部（ｏｐｅｎ  ｉｎｔｅｒｉｏｒ）２２を有する周辺部２０であってよい（開口した内部２２はドアパネル２４が使用時に位置付けられる箇所であり、図３において見えている）。外枠１８は後部パネル１４に対して、１つ又はそれより多くの固定要素２６を介して固定されてよい。使用時において、外枠１８及び後部パネル１４は折り畳まれたエアバッグ２８を収容する。
【００１３】
随意的な内枠要素３０が後部パネル１４の縁部に備えられて、後部パネル１４と外枠１８との間に空間を創出することを支援してもよい。一例において、随意的な内枠要素３０は１つ又はそれより多くのフランジ部３２を備えてよく、該フランジ部３２は、フランジ部３２と外枠１８との間にドアパネル２４を固定可能である。例えば、図１に示すように、ドアパネル２４は、内枠要素３０のフランジ部３２と外枠１８との間に挟持されることが可能な縁部３４を有する。
【００１４】
代替的に、後部パネル１４自体が、後部パネル１４上に位置付けられた１つ又はそれより多くのフランジ部３６を有してよい。この実施形態において、図２及び図３に示されているように、後部パネル１４は、１つ又はそれより多くのフランジ部３６によって画定され得る外周部３８を有してよい。一つの例において、後部パネル１４の外周部３８全体の周りにフランジ３６が延在してもよい。別の例において、外周部３８の周りに位置付けられた１つ又はそれより多くのフランジ部３６ａ、３６ｂ、３６ｃ、３６ｄが備えられてよい。もしも後部パネル１４が図示されているように正方形の形状を有している場合、１つのオプションは、フランジ部３６（３６ａ〜３６ｄ）を後部パネル１４の縁部の各々に備えることである。この実施形態はまた、締め付け板４０が備えられてよい。締め付け板４０は、適切な高さ及び／又はドア２４の厚みに対して同等の厚みをもたらすために用いられてよい。これは随意的な機構である。また、類似のプレート又は更なる厚みが、外枠１８において機械加工されることも可能である。
【００１５】
また、その他の固定方法が用いられ得ることが理解されるべきである。例えば、図４に示されているように、外枠１８自体に、ドアパネル２４の縁部３４が嵌合し得る１つ又はそれより多くの内部溝４２が形成されてよい。全体的なコンセプトは、ドアパネル２４が本文に記載されているように展開可能となるような方法で固定されるというものである。
【００１６】
再び図１の断面図に戻ると、ドアパネルの縁部３４は一般的に、外枠１８の後ろに（又は、図４に示されているように外枠内に）維持されている。上述したように、縁部３４は後部パネル１４の１つ又はそれより多くのフランジ部内に、内枠３０のフランジ部３２内に、又は外枠１８の１つ又はそれより多くの溝４２内に固定されてよい。いずれに場合においても、ドアパネル２４はバックプレートフレーム１２に対して（そしてその結果、車両における構造体に対して）確実に所定位置に固定されて維持されているので、乗客又はその他の人によるドアパネル２４に対するみだりな変更もしくはドアパネル２４に対する圧力によって、概してドアパネル２４はその固定された位置から外れる（離脱する）ことはないであろう。例えば、概して、乗客がドアパネル２４にみだりに変更を加えたとしても、乗客はドアパネル２４をフレームから取り外せないことが所望される。ドアパネル２４は、概して、ドアパネル２４が拡張して出ていく表面よりも大きくなるようなサイズで形成されており、ドアパネル２４の可撓性によってのみ、ドアパネル２４よりも小さなフレーム１２から離脱可能又は解放可能となっている。
【００１７】
ドアパネル２４は、概して、可撓性を有するとともに圧力を受けて変形可能な材料で形成されている。膨張装置（インフレータ）６２から膨張用空気を受けてエアバッグ２８が展開するときに、ドアパネル２４を所定位置に固定しているフレームから滑り出られるような十分な可撓性を、ドアパネル２４は有してよい。しかしながら、このドアパネル２４の材料は、エアバッグが使用されていないときには、エアバッグをドアパネルの背後で保護するために十分な一体性を有するべきである。折り畳まれたエアバッグ２８からの、ドアパネル２４に対する圧力によって、ドアパネル２４が動いたり又は変形したりすることはない。エアバッグ２８の膨張／展開による圧力が、ドアパネル２４を動かすか又は変形させるのである。
【００１８】
具体的な実施形態において、ドアパネル２４はポリカーボネートのような熱可塑性材料で形成されてよい。別の実施形態において、ドアパネル２４は複合材料として形成されてよい。１つの例において、ドアパネルはフェノール樹脂から製造されてよい。別の例において、ドアパネルはケブラー繊維又はケブラー材から製造されてよい。また、いかなる組み合わせが使用されてもよい。ドアパネルは触ると剛性感があるが、十分な圧力下では撓んでよい。
【００１９】
上述されたやり方でドアパネル２４を固定することは、ドアパネル２４は引裂シーム（テアシーム）を有する必要がないことを意味する。システム１０が展開するために、いかなる破断可能部品もシステム１０に備えられる必要はない。ドアパネル２４は、バックフレーム１２に対してドアパネル２４が固定された位置から、その可撓的な特徴によって離脱する。展開に先立って、ドアパネル２４は図２に示されるように外枠１８にほぼ面一に置かれてよい。ドアパネルが変形するために必要とされる圧力は、車両、車両における固定された構造体からの乗客の距離、座席の大きさ（これによってエアバッグの大きさが影響を受け得る）、及びその他の任意の要因に応じて可変とされてよい。しかしながら、１つの具体的な実施形態において、ドアパネルの変形及び解放に必要とされる圧力は、約０．５バール（約５０ｋＰａ）から約２バール（約２００ｋＰａ）の気圧又は１平方インチ当たり約２８〜約３０ポンド（１平方センチメートル当たり約２．０〜２．１ｋｇ）の範囲にし得る。
【００２０】
また、固定システム４６が備えられてもよい。固定システム４６は、エアバッグが展開される際に、ドアパネル２４が発射体となることを防止するためのものである。１つの例において、固定システム４６は、ドアパネル２４をバックプレートフレーム１２に固定する繋ぎ紐（テザー）又は帯（ストラップ）であってよい。ドアパネル２４はテザー又はストラップ６６を受け入れる１つ又はそれより多くの開口部６４を有してよい。別の例において、固定システム４６はドアパネル２４をバックプレートフレーム１２に固定する蝶番（ヒンジ）であってよい。別の例において、固定システム４６はドアパネル２４をバックプレートフレーム１２に固定する腕木（ブラケット）又は留め金（バックル）であってよい。別の例において、固定システム４６はドアパネル２４をバックプレートフレーム１２に固定するバネ形態であってよい。バネはドアパネルに対する圧力を維持してよいとともに、エアバッグが展開する際に、ドアパネルが保護されるべき乗客から離れて迅速に動くことを支援してよい。別の例において、固定システム４６はドアパネル２４をバックプレートフレーム１２に固定する弾性継ぎ手であってよい。この固定がなされる場所は、ドア２４のいずれの辺に沿って又はいずれの辺において位置付けられてもよい。固定場所は、右辺、左辺、上辺、底辺、又はそれらのいかなる組み合わせに位置付けられてもよい。
【００２１】
１つの例において、図５〜図９に示された展開は、後部パネル１４及びドアパネル２４に固定されたある１つの種類のヒンジ４８を示している。このヒンジ４８は後部パネル１４又は車両における他の固定された構造体に固定された第１アーム５０と、ドアパネル２４に固定された第２アーム５２と、折りたたみ可能及び伸張可能な中間部５４とを有してよい。ヒンジ４８の後部パネル１４及びドアパネル２４に対する固定は、システム１０の１つの縁部においてなされているものとして示されている。衝突状態又はその他の展開（拡張）誘因が発生すると、折り畳まれたエアバッグ２８の展開による圧力がドアパネル２４に対する圧力を引き起こす。ドアパネル２４は可撓性材料で形成されているため、ドアパネル２４は、ドアパネル２４を所定位置に固定している外枠１８又はその他のフランジシステムから縁部３４が外に押し出されるように変形出来る。図５に所定位置に固定された縁部３４が示されている。エアバッグシステム１０の各構成要素は共に固定された状態にある。ドアパネル２４は外枠１８と内枠３０との間に挿入されている。図６には展開の初期段階が示されている。この初期段階において、ドアパネルの縁部３４は外枠１８から離脱しつつある。エアバッグ２８に印加されている展開圧力がドアパネル２４を押し、縁部３４をそれらが固定された位置から離脱させるようにドアパネル２４を変形、屈曲、又はさもなければ外側に湾曲させる。縁部３４は固定された状態から滑り出し始める。図５及び図６には、圧縮位置にあるヒンジ４８が示されている。このヒンジの圧縮は、バネ機構、折りたたみ可能な材料、プラスチック片、金属片、又はドアパネル２４を所望のように保持可能なその他のいかなる構成によって成されてもよい。
【００２２】
図７に、縁部３４が外枠１８から完全に離脱された又はさもなければ解放された状態が示されている。図７は、圧縮位置からより拡張された位置に拡張しているヒンジ４８が示されている。この状態を固定システム４６の展開（そしてこの具体的な実施形態においては、ヒンジ４８の展開）と称してもよい。ドアパネル２４がヒンジ４８を介して固定されているため、エアバッグ２８から継続して印加される圧力によってドアパネル２４が図８及び図９に示されるようにさらに開かれる。図８において、エアバッグ２８は膨張し続けており、システム１０によって創出されたエアバッグ空洞（エアバッグキャビティ）５８の外部へと延伸し始める。ドアパネル２４は外枠１８にも内枠３０にも接触しておらず、ヒンジ４８はドアパネル２４を回転させ始める。１つの例において、ヒンジ４８は張力を受けている状態にあってよく、そのことによってドアパネル２４の回転が支援される。ドアパネル２４は、ドアパネル２４がより遠くに動くとともに乗客を保護するためにエアバッグ２８が完全に展開出来るようにするために、ヒンジ４８に対して回転する。
【００２３】
このすべての連続動作は極めて速やかに行われる。いくつかの実施形態において、約２ミリ秒から約４ミリ秒の間に、ドアパネル２４が動いてエアバッグが展開出来るようにする。
【００２４】
本文においては単一のドアパネル２４が示されそして記載されたが、１つよりも多いドアがドアパネルシステムを形成し得ることが理解されるべきである。例えば、２つのドアが備えられて、圧力が印加されるとフランス戸（観音開きの戸）のように開くように中間部で固定されていてもよい。より多くのドアが備えられて、複数の垂れ板（マルチフラップ）構成を形成してもよい。ドアパネル又は複数のドアパネルはまた、上部又は下部において固定されて、（図示されているように側方に開くのではなく）上向き又は下向きに開いてよい。また、ドアが重複部分を有する複数の部品として備えられることも可能である。
【００２５】
本文に記載のエアバッグシステム１０は、航空機の構造物、プライバシーシェル、座席の背もたれ、壁、又は、乗客の正面又は着座領域の正面に位置付けられ得るその他のいかなる構造体（一般的に、図１０において構造体「Ｓ」と称されている）に対して固定されてもよい。構造体Ｓには、システム１０が構造物、プライバシーシェル、座席の背もたれ、もしくはその他の構造体に製造時に取り付けられ得るように又は構造体に後ほど取り付けられ得るように、システム１０を受け入れ可能な開口部又は空洞６０が形成されてよい。また、エアバッグシステム１０を、構造体の表面に対して直接取り付け可能とするように、図１１に示されているような独立型装置６８として提供することも可能である。例えば、エアバッグシステム１０は、航空機の壁部又は衝突もしくはその他の墜落（衝突）事象が発生した際に乗客が負傷する危険性があり得るその他のいかなる箇所に固定されてもよい。後部パネル１４は構造体に直接固定されてよい。この実施形態において、エアバッグシステム１０は構造体表面Ｓに対して凹んでいる又は面一である必要は無いが、機内において必要とされるいかなる場所にも取り付け可能な可動式装置を提供することができる。
【００２６】
これらの例は航空機に関して記載されているが、本文に記載のエアバッグシステム１０は、鉄道旅行、水上旅行、宇宙旅行、道路旅行のために設計された車両又はその他の任意の車両のような、いかなる種類の旅客輸送車両にも搭載されて用いられてよいことが理解されるべきである。
【００２７】
図１１に、エアバッグシステム１０に含まれ得る追加の特徴の概要が示されている。例えば、衝突が衝突センサ７０によって検知されてよい。衝突センサはエアバッグ制御装置７２と通信してエアバッグの膨張を引き起こす。エアバッグ制御装置７２はガスインフレータ６２に信号を送って、エアバッグシステム１０内に含まれているエアバッグ２８に、ホース７４を通じて膨張ガスを送達することが出来る。
【００２８】
上述され及び図面に示された構造及び方法に対して、変更、改造、追加及び削除を、本発明の範囲及び精神並びに後述の請求の範囲から逸脱することなしに行われ得る。
【図１】
2017508655.tif 000003
【図２】
2017508655.tif 000004
【図３】
2017508655.tif 000005
【図４】
2017508655.tif 000006
【図５】
2017508655.tif 000007
【図６】
2017508655.tif 000008
【図７】
2017508655.tif 000009
【図８】
2017508655.tif 000010
【図９】
2017508655.tif 000011
【図１０】
2017508655.tif 000012
【図１１】
2017508655.tif 000013
【国際調査報告】
2017508655.tif 000014
2017508655.tif 000015